(57)【要約】【課題】  競技用ゴールの転倒事故を確実に防止するとともに、杭などの固定具のように固定作業などの面倒がなく、持ち運びがしやすく、更に設置した際の安定性、確実性に優れ、しかも設置作業者による設置作業の巧拙が生じにくく、また載置されたウエイトによって、競技者等に怪我を生じさせることがないような競技用ゴールの固定ウエイトを提供する。【解決手段】  ウエイト粒体２を内包した二つのウエイト袋３と、これら二つのウエイト袋３を連結する連結体４とから成り、前記連結体４を競技用ゴールＧの下フレームＧ３上に掛けて、二つのウエイト袋３を前記下フレームＧ３を挟んで振り分け状態に載置させることを特徴とする。【選択図】図１
2005261485.tif 000002
【特許請求の範囲】
【請求項１】
ウエイト粒体を内包した二つのウエイト袋と、これら二つのウエイト袋を連結する連結体とから成り、前記連結体を競技用ゴールの下フレーム上に掛けて、二つのウエイト袋を前記下フレームを挟んで振り分け状態に載置させることを特徴とする競技用ゴールの固定ウエイト。
【請求項２】
前記連結体の中心位置には、取手が設けられていることを特徴とする請求項１記載の競技用ゴールの固定ウエイト。
【請求項３】
前記ウエイト粒体は、銑鉄製の粒玉であることを特徴とする請求項１または２記載の競技用ゴールの固定ウエイト。
【請求項４】
前記ウエイト袋は、ウエイト粒体を直接受け入れる内袋とこれを包む外袋による多重構造であることを特徴とする請求項１、２または３記載の競技用ゴールの固定ウエイト。
【発明の詳細な説明】
【技術分野】
【０００１】
本発明は競技用ゴールの転倒事故を防止するための競技用ゴールの固定ウエイトに関するものである。
【背景技術】
【０００２】
競技用ゴールＧとして、例えばサッカーゴールがあるが、このものは前面に位置するクロスバーＧ１及び左右のゴールポストＧ３が、その後方のフレーム部材に対して重い構造のため、図８に示すように前方に倒れやすく、人身事故を起こしやすいという問題点を有している。このため、各地の関係行政機関から、例えば小中学校に対して、サッカーゴールＧを杭等の固定具で固定するか砂袋や重りで転倒防止対策を採るよう指示がされている。
【０００３】
ところで競技用ゴールＧを固定するにあたって、例えば杭等の固定具を用いた場合、その設置位置の変更が面倒であり、特に汎用的に使用できる余地を確保しておかなければならない校庭等では、必ずしも実情に合った対策とは言えなかった。なおこのような杭等を用いる固定具の先行技術文献としては、例えば引用文献１や引用文献２がある。
【０００４】
また一方重りを用いる対策として、図９に示すような土嚢Ｗの重りが知られているが、サッカーゴール等の競技用ゴールＧの下フレームＧ３に載置するには適切な形状とは言えず、風等で万一競技用ゴールＧが揺れ動いた際には、重しの作用位置がずれ、充分な効果を発揮できない懸念もあり、更に甚だしい場合、ずれ落ちてしまい何ら重しの役目を果たさなくなってしまう虞もある。加えて構造上、設置作業者に対しては、土嚢Ｗが下フレームＧ３からずれ落ちにくく、且つ荷重が充分に伝わるような慎重な設置作業が要求され無造作な作業では充分な効果が得られないなどの問題点があった。
【特許文献１】特開平１０−１９２４６８号公報
【特許文献２】特開２００３−１４４５９５公報
【発明の開示】
【発明が解決しようとする課題】
【０００５】
本発明はこのような背景からなされたものであって、競技用ゴールの転倒事故を確実に防止するとともに、杭などの固定具のように競技用ゴールの移動の際の杭の取り外しや移動後の再度の固定作業などの面倒がなく、持ち運びがしやすく、更に設置した際の安定性、確実性に優れ、しかも設置作業者による設置作業の巧拙が生じにくく、更に載置されたウエイトによって、競技者等に怪我を生じさせることがないような新規な競技用ゴールの固定ウエイトを実現しようとするものである。
【課題を解決するための手段】
【０００６】
すなわち請求項１記載の競技用ゴールの固定ウエイトは、ウエイト粒体を内包した二つのウエイト袋と、これら二つのウエイト袋を連結する連結体とから成り、前記連結体を競技用ゴールの下フレーム上に掛けて、二つのウエイト袋を前記下フレームを挟んで振り分け状態に載置させることを特徴として成るものである。
【０００７】
また請求項２記載の競技用ゴールの固定ウエイトは、前記要件に加え、前記連結体の中心位置には、取手が設けられていることを特徴として成るものである。
【０００８】
更に請求項３記載の競技用ゴールの固定ウエイトは、前記要件に加え、前記ウエイト粒体は、銑鉄製の粒玉であることを特徴として成るものである。
【０００９】
更にまた請求項４記載の競技用ゴールの固定ウエイトは、前記要件に加え、前記ウエイト袋は、ウエイト粒体を直接受け入れる内袋とこれを包む外袋による多重構造であることを特徴として成るものである。
【発明の効果】
【００１０】
本発明の競技用ゴールの固定ウエイトは、上述した手段により以下のような効果を奏するものである。
すなわち請求項１記載の競技用ゴールの固定ウエイトによれば、二つのウエイト袋で競技用ゴールの下フレームを挟んで載置されるため、競技用ゴールの固定ウエイトの安定が良く、競技用ゴールが風にあおられて多少揺れたとしても、競技用ゴールの固定ウエイトが載置個所の下フレームからずれ落ちてしまうようなことがない。また二つのウエイト袋で競技用ゴールの下フレームを挟んで載置する設置態様が、競技用ゴールの固定ウエイトの構成から直観的にわかりやすく、また一度見たら設置方法を忘れることがない。従って誰にでも適切な設置が行われることが期待できる。更にウエイト本体が粒体であるため、競技者が転倒して頭を打ちつけたり、蹴ってしまったときや、設置作業者が持ち運び中に手を滑らせて足に落下させてしまったような場合にも、緩衝効果があるめ、怪我が生じにくい。
【００１１】
また請求項２記載の競技用ゴールの固定ウエイトによれば、取手がウエイト袋の間の連結体の中心位置に設けられるため、重心が取れ、持ち運びがしやすくなる。
【００１２】
更に請求項３記載の競技用ゴールの固定ウエイトによれば、ウエイト微粒玉が銑鉄製であるため、小体積でも充分な重量が得られるとともに、製造コストを安価に抑えることができる。
【００１３】
更にまた請求項４記載の競技用ゴールの固定ウエイトによれば、ウエイト袋が多重構造であるため、ウエイト微粒玉がこぼれ出にくい。
【発明を実施するための最良の形態】
【００１４】
本発明の最良の形態は、具体的には以下の図示の実施例に述べるとおりである。
【実施例１】
【００１５】
以下本発明を図示の実施の形態に基づき説明する。
図中符号１で示すものが、本発明の競技用ゴールの固定ウエイトで、このものはウエイト粒体２を内包した二つのウエイト袋３と、これら二つのウエイト袋３を連結する連結体４と、取手５とを具えて成る。
【００１６】
以下各部材について詳細に説明すると、前記ウエイト粒体２は、一例として２ｍｍ〜４ｍｍの銑鉄製の微粒玉を用いるものであり、少量でも充分な重量を得られ、且つ微粒玉状であるため、ブロック状の金属のものに比べて、緩衝性を有している。なおウエイト粒体２としては、銑鉄製の微粒玉の他、その他の鉄や合金、鉛などで形成される微粒玉、更に砂等を用いるようにしてもよい。
【００１７】
また前記ウエイト袋３は、ウエイト粒体２を直接受け入れる内袋３１と、これを包む外袋３２とから成るが、本実施例では、一例として前記外袋３２と連結体４とは、一枚のポリエステル加工糸織物により形成されるものである。また前記内袋３１は、これもポリエステル加工糸織物により形成されるものであり、この中に図４（ａ）（ｂ）に示されるように、ウエイト粒体２が二つの内袋３１に対し、それぞれ５ｋｇずつ入れられ、口を紐材３１ａで閉塞されている。因みに本実施例の競技用ゴールの固定ウエイト１は、総重量が約１０ｋｇのウエイトとなるが、その他１５ｋｇや２０ｋｇのウエイトで競技用ゴールの固定ウエイト１を製造することも可能である。
【００１８】
一方、内袋３１は、図５（ａ）に示すような一枚の矩形状のポリエステル加工糸織物の外袋形成用シート素材Ｓによって、左右の外袋３２と連結体４とが製造されるものである。具体的には図５（ｂ）に示すように、外袋形成用シート素材Ｓの短辺側の両端を、内袋３１の幅の相当分を折り返し、折り返した周縁を図５（ｃ）中、上部を除いてウェルダー加工により融着することにより（図中符号３２ａで示す部位が、ウェルダー加工部である。）、左右の外袋３２と連結体４とが製造される。またこの後、図５（ｄ）に示されるようにポリエステル加工糸織物の取手５を取り付け、図５（ｅ）に示されるように外袋３２に内袋３１を入れ、外袋３２の上部を図５（ｆ）に示すように縫合する（図中符号３２ｂで示す部位が縫合部である）。
なお上記製造工程は、一例であり、製造手順は適宜変更することが可能である。因みに本実施例の競技用ゴールの固定ウエイト１の全体寸法は、縦が３８０ｍｍ（外袋３２の横幅がそれぞれ１４０ｍｍで、連結体４の横幅が１００ｍｍ）、横が３００ｍｍで製造している。
【００１９】
本発明の競技用ゴールの固定ウエイト１は、一例として以上のような構成を有するものであって、以下この使用態様について説明する。
まず競技用ゴールの固定ウエイト１を競技用ゴールＧまで持ち運ぶにあたっては、取手５を持って持ち運ぶ。このとき取手５が競技用ゴールの固定ウエイト１の中心位置に設けられているため、重心が取れ持ち運びがしやすい。
【００２０】
そして取手５を持ったまま、図１、３に示すように競技用ゴールＧの下フレームＧ３上に連結体４が位置し、二つのウエイト袋３は下フレームＧ３を挟んで振り分け状態（ほぼ対称位置）に位置するように載置する。
【００２１】
なお載置個数は、競技用ゴールＧの種類や重さ、設置面の安定性等によって変更されるものであるが、一般的なサッカーゴールの場合には、５〜１０個程度載置される。なお、設置個所はサッカーゴールの場合、クロスバーＧ１及び左右のゴールポストＧ２が重く、図８に示すように前方へ倒れやすいため、後部側の下フレームＧ３に本発明の競技用ゴールＧの固定ウエイト１を載置するのが効果的である。なお本発明で「下フレーム」とは、競技用ゴールにおける設置面に接するフレームもしくは設置面に近いフレームを指す。
なお本発明の競技用ゴールの固定ウエイト１を適用できる競技用ゴールＧとしては、本実施例のサッカーゴールの他、バスケットゴール、ハンドボールゴール、フットサルゴール及びポロゴール等がある。
【００２２】
以上のように本発明の競技用ゴールの固定ウエイト１を下フレームＧ３に載置した場合、風によりあおられて競技用ゴールＧが転倒することが防がれる。またウエイト粒体２が銑鉄製のウエイト粒体２であるため、競技用ゴールの固定ウエイト１が小さくても充分な重量が得られるとともに、競技者が転倒して頭等を打ちつけたり、蹴ってしまった際にも、競技用ゴールの固定ウエイト１側がへこんで力を逃がす緩衝効果を有しているため、怪我が生じにくい。
【実施例２】
【００２３】
本発明は前記実施例１を基本的な実施例とするものであるが、適宜改変を行い実施することが可能であり、例えば前記実施例１では、外袋３２と連結体４とを一枚の外袋形成用シート素材Ｓで形成したが、二つの外袋３２をそれぞれ別体で製造して、帯体（図６（ａ）参照）やチェーン（図６（ｂ）参照）等の屈曲性を有した連結体４により連結するようにしてもよい。
【実施例３】
【００２４】
また競技用ゴールの固定ウエイト１の緩衝性を更に向上させるため、図７に示すように内袋３１を、エアキャップ等と呼ばれる気泡緩衝材や、ウレタンフォーム等の軟性の発泡合成樹脂などの緩衝材３３で包むようにしてもよい。またこのように緩衝材３３を別体で用意する他、外袋３２や内袋３１自体を緩衝材で形成するようにしてもよい。
【図面の簡単な説明】
【００２５】
【図１】本発明の競技用ゴールの固定ウエイトを競技用ゴールに載置した実施例を示す斜視図である。
【図２】同上競技用ゴールの固定ウエイトの一部破断平面図と、正面図である。
【図３】同上競技用ゴールの固定ウエイトを、競技用ゴールの下フレーム上に設置した状態を示す正面図である。
【図４】ウエイト袋の内袋にウエイト粒体を詰める様子を示す説明図である。
【図５】本発明の競技用ゴールの固定ウエイトの製作手順を示す説明図である。
【図６】連結体の他の二種の実施例を示す平面図である。
【図７】ウエイト袋を緩衝材を用いて製作した他の実施例を示す平面図である。
【図８】競技用ゴールであるサッカーゴールの従来問題点を示す側面図である。
【図９】従来の土嚢の重りを示す斜視図である。
【符号の説明】
【００２６】
１      競技用ゴールの固定ウエイト
２      ウエイト粒体
３      ウエイト袋
３１    内袋
３１ａ  紐材
３２    外袋
３２ａ  ウェルダー加工部
３２ｂ  縫合部
３３    緩衝材
４      連結体
５      取手
Ｇ      競技用ゴール
Ｇ１    クロスバー
Ｇ２  （左右の）ゴールポスト
Ｇ３    下フレーム
Ｓ      外袋形成用シート素材
Ｗ      土嚢
【図１】
2005261485.tif 000003
【図２】
2005261485.tif 000004
【図３】
2005261485.tif 000005
【図４】
2005261485.tif 000006
【図５】
2005261485.tif 000007
【図６】
2005261485.tif 000008
【図７】
2005261485.tif 000009
【図８】
2005261485.tif 000010
【図９】
2005261485.tif 000011